(57)【要約】【課題】蓄電池の設置作業やメンテナンス作業を容易に行え、安全性に優れ、蓄電池の耐久性も高く保つことができる蓄電池を備えた集合住宅を提供する。【解決手段】集合住宅１は、複数の住戸１ａ，１ｂ，１ｃ，１ｄ間をつなぐ移動経路としての階段室２を備え、この階段室２の移動経路形成部分の床部としての中間階踊り場２ｃに、蓄電池３が設置された構成とされている。【選択図】図２
2011226062.tif 000002
【特許請求の範囲】
【請求項１】
複数の住戸間をつなぐ階段を有する移動経路を備え、該移動経路の階段部、床部、天井部、又は壁部を形成する移動経路形成部分に、蓄電池が設置されていることを特徴とする蓄電池を備えた集合住宅。
【請求項２】
前記移動経路の前記階段部、前記床部、又は前記天井部を形成する前記移動経路形成部分の下面に、前記蓄電池が設置されていることを特徴とする請求項１に記載の蓄電池を備えた集合住宅。
【請求項３】
太陽光発電装置を備え、該太陽光発電装置は、前記蓄電池に接続されていることを特徴とする請求項１又は２に記載の蓄電池を備えた集合住宅。
【発明の詳細な説明】
【技術分野】
【０００１】
本発明は、蓄電池を備えた集合住宅に関するものである。
【背景技術】
【０００２】
近年、国家・自治体レベルや企業レベルにとどまらず、家庭レベルにおいても省エネルギーの意識が高まりつつある。
【０００３】
また、地震などによる被災後の非常時に、なるべく快適な生活を送れるようにしようとする非常時に対応するための意識も高まりつつある。
【０００４】
こうしたことから、省エネルギー用又は非常時用の蓄電池を建物に備えることがなされるようになってきた。
【０００５】
このことは、戸建て住宅のみならず、集合住宅でも、同様である。
【０００６】
例えば、特許文献１に開示された従来技術では、蓄電池が高価なものである現状を踏まえ、費用対効果の面から、蓄電池を、集合住宅における複数世帯で共用している。
【先行技術文献】
【特許文献】
【０００７】
【特許文献１】特許第４０５２７６７号公報
【発明の概要】
【発明が解決しようとする課題】
【０００８】
しかしながら、特許文献１に開示された従来技術では、蓄電池の設置箇所が集合住宅の狭い屋根裏空間であり、その設置作業やメンテナンス作業を行うには、非常に作業性が悪く、不便であった。
【０００９】
また、蓄電池からの発熱や万一の発火の危険性などを考慮して、十分な断熱・防火措置を行う必要もあった。
【００１０】
勿論、蓄電池を集合住宅の屋外に設置することもなされているが、この場合、屋外に設置スペースを確保しなければならず、さらに風雨に曝される箇所では、蓄電池の耐久性が低下し、寿命が短くなってしまう。
【００１１】
また、悪天候時には、メンテナンス作業を行おうとしても、非常に作業性が悪くなる。
【００１２】
そこで、本発明は、蓄電池の設置作業やメンテナンス作業を容易に行え、安全性に優れ、蓄電池の耐久性も高く保つことができる蓄電池を備えた集合住宅を提供することを目的としている。
【課題を解決するための手段】
【００１３】
前記目的を達成するために、本発明の蓄電池を備えた集合住宅は、複数の住戸間をつなぐ階段を有する移動経路を備え、該移動経路の階段部、床部、天井部、又は壁部を形成する移動経路形成部分に、蓄電池が設置されていることを特徴とする。
【００１４】
ここで、前記移動経路の前記階段部、前記床部、又は前記天井部を形成する前記移動経路形成部分の下面に、前記蓄電池が設置されているとよい。
【００１５】
また、太陽光発電装置を備え、該太陽光発電装置は、前記蓄電池に接続されているとよい。
【発明の効果】
【００１６】
このような本発明の蓄電池を備えた集合住宅は、複数の住戸間をつなぐ階段を有する移動経路を備え、移動経路の階段部、床部、天井部、又は壁部を形成する移動経路形成部分に、蓄電池が設置された構成とされている。
【００１７】
こうした構成なので、移動経路を形成する移動経路形成部分に蓄電池が設置されるため、蓄電池の設置作業やメンテナンス作業を容易に行うことができる。
【００１８】
そのうえ、蓄電池が集合住宅の全ての住戸の外側に設置されているため、安全性に優れ、風雨に曝され難いため、蓄電池の耐久性も高く保つことができる。
【００１９】
ここで、移動経路の階段部、床部、又は天井部を形成する移動経路形成部分の下面に、蓄電池が設置されている場合は、蓄電池による重量効果及び制振効果で、移動経路での歩行時の発生音が低減され、静謐な環境にすることができる。
【００２０】
また、太陽光発電装置を備え、太陽光発電装置は、蓄電池に接続されている場合は、太陽光発電装置により発電した電力を、蓄電池に充電して、この電力を効率的に利用することができる。
【図面の簡単な説明】
【００２１】
【図１】実施例１の蓄電池を備えた集合住宅の概略構成を示す斜視図である。
【図２】図１におけるＡ−Ａ線矢視断面図である。
【図３】実施例２の蓄電池を備えた集合住宅の概略構成を示す断面図である。
【図４】実施例３の蓄電池を備えた集合住宅の概略構成を示す断面図である。
【図５】実施例４の蓄電池を備えた集合住宅の概略構成を示す断面図である。
【図６】実施例５の蓄電池を備えた集合住宅の概略構成を示す正面図である。
【発明を実施するための形態】
【００２２】
以下、本発明を実施するための形態を、図面に示す実施例１〜５に基づいて説明する。
【実施例１】
【００２３】
先ず、実施例１の構成について説明する。
【００２４】
図１は、実施例１の蓄電池を備えた集合住宅１の概略構成を示している。
【００２５】
まず、この集合住宅１は、複数の住戸１ａ，１ｂと１ｃ，１ｄとに挟まれた移動経路としての階段室２を有する。
【００２６】
この階段室２は、図２に示したように、移動経路形成部分として、１階踊り場２ａと、階段部としての折り返し階段２ｂと、床部としての中間階踊り場２ｃと、床部としての２階踊り場２ｄと、壁部としての外壁２ｅ，２ｆと、天井部としての屋根２ｇとから主に構成されている。
【００２７】
そして、この実施例１では、中間階踊り場２ｃの下面に、蓄電池３が取付部材３ａにより設置されている。
【００２８】
また、集合住宅１は、屋根２ｇの上面に、太陽光発電装置としての太陽光発電パネル４，・・・を備えている。
【００２９】
そして、これらの太陽光発電パネル４，・・・は、図示省略のパワーコンディショナーや分電盤を介して、蓄電池３と電気配線で接続されている。
【００３０】
次に、実施例１の作用効果について説明する。
【００３１】
このような実施例１の蓄電池を備えた集合住宅１は、複数の住戸１ａ，１ｂ，１ｃ，１ｄ間をつなぐ移動経路としての階段室２を備え、この階段室２の移動経路形成部分の床部としての中間階踊り場２ｃに、蓄電池３が設置された構成とされている。
【００３２】
こうした構成なので、階段室２の中間階踊り場２ｃに蓄電池３が設置されるため、蓄電池３の設置作業やメンテナンス作業を容易に行うことができる。
【００３３】
そのうえ、蓄電池３が集合住宅１の全ての住戸１ａ，１ｂ，１ｃ，１ｄの外側に設置されているため、安全性に優れ、風雨に曝され難いため、蓄電池３の耐久性も高く保つことができる。
【００３４】
ここで、蓄電池３は、階段室２の中間階踊り場２ｃの下面に設置されている。
【００３５】
このため、蓄電池３による重量効果及び制振効果で、階段室２での歩行時の発生音が低減され、静謐な環境にすることができる。
【００３６】
また、太陽光発電装置としての太陽光発電パネル４，・・・を備え、太陽光発電パネル４，・・・は、電気配線で蓄電池３に接続されている。
【００３７】
このため、太陽光発電パネル４，・・・により発電した電力を、蓄電池３に充電して、この電力を効率的に利用することができる。
【００３８】
例えば、集合住宅１の共有設備の消費電力をまかなうことに利用することなどが可能である。
【実施例２】
【００３９】
次に、実施例２について説明する。
【００４０】
なお、実施例１で説明した内容と同一乃至均等な部分の説明については同一符号を付して説明する。
【００４１】
図３は、実施例２の蓄電池を備えた集合住宅１Ａの概略構成を示している。
【００４２】
この実施例２の蓄電池を備えた集合住宅１Ａでは、階段室２の２階踊り場２ｄの下面に、蓄電池３が設置されていることが実施例１の蓄電池を備えた集合住宅１と主に異なる。
【００４３】
なお、他の構成及び作用効果については、実施例１と略同様であるので説明を省略する。
【実施例３】
【００４４】
次に、実施例３について説明する。
【００４５】
なお、実施例１で説明した内容と同一乃至均等な部分の説明については同一符号を付して説明する。
【００４６】
図４は、実施例３の蓄電池を備えた集合住宅１Ｂの概略構成を示している。
【００４７】
この実施例３の蓄電池を備えた集合住宅１Ｂでは、階段室２の外壁２ｆの表面に、蓄電池３が設置されていることが実施例１の蓄電池を備えた集合住宅１と主に異なる。
【００４８】
なお、他の構成及び作用効果については、実施例１と略同様であるので説明を省略する。
【実施例４】
【００４９】
次に、実施例４について説明する。
【００５０】
なお、実施例１で説明した内容と同一乃至均等な部分の説明については同一符号を付して説明する。
【００５１】
図５は、実施例４の蓄電池を備えた集合住宅１Ｃの概略構成を示している。
【００５２】
この実施例４の蓄電池を備えた集合住宅１Ｃでは、階段室２の屋根２ｇの下面に、蓄電池３が設置されていることが実施例１の蓄電池を備えた集合住宅１と主に異なる。
【００５３】
なお、他の構成及び作用効果については、実施例１と略同様であるので説明を省略する。
【実施例５】
【００５４】
次に、実施例５について説明する。
【００５５】
なお、実施例１で説明した内容と同一乃至均等な部分の説明については同一符号を付して説明する。
【００５６】
図６は、実施例５の蓄電池を備えた集合住宅１０の概略構成を示している。
【００５７】
この実施例５の蓄電池を備えた集合住宅１０では、複数の住戸１０ａ，１０ｂ，１０ｃ，１０ｄ，１０ｅ，１０ｆ，１０ｇ，１０ｈの戸口がある片側側面に、移動経路としての階段移動経路２０を有する。
【００５８】
この階段移動経路２０は、移動経路形成部分として、床部としての外長廊下２０ａと、階段部としての直線階段２０ｂとから主に構成されている。
【００５９】
そして、この実施例５では、外長廊下２０ａの下面に、蓄電池３が取付部材３ａにより設置されていることが実施例１の蓄電池を備えた集合住宅１と主に異なる。
【００６０】
ここで、屋根２０ｃの庇の部分は、外長廊下２０ａの上部を覆う長さとされていないが、蓄電池３は、外長廊下２０ａの下面に設置されているため、風雨には曝され難くなっている。
【００６１】
なお、他の構成及び作用効果については、実施例１と略同様であるので説明を省略する。
【００６２】
以上、図面を参照して、本発明を実施するための形態を実施例１〜５に基づいて詳述してきたが、具体的な構成は、これら実施例１〜５に限らず、本発明の要旨を逸脱しない程度の設計的変更は、本発明に含まれる。
【００６３】
例えば、上記した実施例１〜５では、蓄電池３を一箇所のみに設置したが、これに限定されず、複数の箇所に設置して実施してもよい。
【００６４】
また、蓄電池３の設置箇所についてもこれらに限定されず、例えば、折り返し階段２ｂや直線階段２０ｂの段板の下面などに設置して実施してもよい。
【００６５】
さらに、上記した実施例１〜５では、太陽光発電装置として、太陽光発電パネル４・・・を用いて実施したが、これに限定されず、他の種類の太陽光発電装置を用いて実施してもよい。
【符号の説明】
【００６６】
１      集合住宅
１Ａ    集合住宅
１Ｂ    集合住宅
１Ｃ    集合住宅
１０    集合住宅
１ａ    住戸
１ｂ    住戸
１ｃ    住戸
１ｄ    住戸
１０ａ  住戸
１０ｂ  住戸
１０ｃ  住戸
１０ｄ  住戸
１０ｅ  住戸
１０ｆ  住戸
１０ｇ  住戸
１０ｈ  住戸
２      階段室（移動経路）
２ａ    １階踊り場
２ｂ    折り返し階段（移動経路形成部分の階段部）
２ｃ    中間階踊り場（移動経路形成部分の床部）
２ｄ    ２階踊り場（移動経路形成部分の床部）
２ｅ    外壁（移動経路形成部分の壁部）
２ｆ    外壁（移動経路形成部分の壁部）
２ｇ    屋根（移動経路形成部分の天井部）
２０    階段移動経路（移動経路）
２０ａ  外長廊下（移動経路形成部分の床部）
２０ｂ  直線階段（移動経路形成部分の階段部）
２０ｃ  屋根
３      蓄電池
３ａ    取付部材
４      太陽光発電パネル（太陽光発電装置）
【図１】
2011226062.tif 000003
【図２】
2011226062.tif 000004
【図３】
2011226062.tif 000005
【図４】
2011226062.tif 000006
【図５】
2011226062.tif 000007
【図６】
2011226062.tif 000008